(57)【特許請求の範囲】
【請求項１】
光源に接続されるべきライトガイドコードを通るとともに出射側端部が第１保持筒により断面円形の状態で保持された第１光ファイバー束と、内視鏡を通るとともに入射側端部が第２保持筒により断面円形の状態で保持された第２光ファイバー束とを、接続するアダプターにおいて、
上記第１保持筒および第２保持筒に対して両端部が連結され、少なくとも一方に対して着脱可能な筒形状のアダプター本体と、
このアダプター本体内に設けられ、上記第１，第２光ファイバー束の端部間に配置されるとともにこれら端部と同軸をなすライトガイド部材とを有し、
上記ライトガイド部材は、その断面が円形をなすとともに基端から先端に向かって径が小さくなるようなテーパ形状をなし、その基端面が第１光ファイバー束の出射端面と同径をなして実質的に接しており、その先端面が第２光ファイバー束の入射端面より小径をなしてこの入射端面から離れていることを特徴とする内視鏡装置における照明光伝送系アダプター。
【請求項２】
上記アダプター本体は、上記第１保持筒に連結され上記ライトガイド部材を収容支持してなる支持筒と、上記第２保持筒と上記支持筒のうちの一方に対して回転可能かつ軸方向移動不能に連結され他方に対して螺合により連結される調節筒とを有し、この調節筒の回動に伴い上記ライトガイド部材の先端面と上記第２光ファイバー束の入射端面との間の距離が調節されることを特徴とする請求項１に記載の内視鏡装置における照明光伝送系アダプター。
【請求項３】
上記アダプター本体は、さらに取付筒を有し、この取付筒が上記第２保持筒に着脱可能に連結され、この取付筒に対して上記調節筒が回動可能かつ軸方向移動不能に連結されることにより、調節筒と第２保持筒の連結が得られ、他方、上記支持筒は第１保持筒に対して着脱可能に連結されていることを特徴とする請求項２に記載の内視鏡装置における照明光伝送系アダプター。
【請求項４】
上記支持筒の外周には雄ねじ部が形成され、上記調節筒の内周にはこの雄ねじ部に螺合する雌ねじ部が形成されており、これら支持筒の外周と調節筒の内周の一方には、ねじ部から軸方向に離れてゴム製リングが装着されており、他方にはこのゴム製リングが弾性変形状態で当接する環状の当接面が形成されていることを特徴とする請求項２または３に記載の内視鏡装置における照明光伝送系アダプター。
【請求項５】
上記アダプター本体の両端部が、上記第１，第２の保持筒に着脱可能に連結されることを特徴とする請求項１に記載の内視鏡装置における照明光伝送系アダプター。
【請求項６】
上記アダプター本体が、上記第１保持筒に連結され上記ライトガイド部材を収容支持してなる支持筒と、第２保持筒に着脱可能に連結された取付筒とを有し、上記支持筒と取付筒とが螺合により着脱可能に連結されていることを特徴とする請求項１に記載の内視鏡装置における照明光伝送系アダプター。
【発明の詳細な説明】
【０００１】
【発明の属する技術分野】
本発明は、内視鏡とライトガイドコードとが分離された内視鏡装置において、両者を接続するためのアダプターに関する。
【０００２】
【従来の技術】
光源に接続されるべきライトガイドコードと内視鏡とが分離した内視鏡装置は公知である。このような内視鏡装置では、１本のライトガイドコードに複数の内視鏡を順次接続して用いることができるので、装置全体のコストが安くて済む。上記のような内視鏡装置において、上記ライトガイドコードと内視鏡を接続するアダプターは、特開昭２−１１４２２６号公報や特開昭５３−５６４５公報に開示されている。
【０００３】
前者公報のアダプターは、筒形状のアダプター本体内にレンズ系を内蔵することにより構成されている。ライトガイドコードを通る第１光ファイバー束の出射側端部と内視鏡を通る第２光ファイバー束の入射側端部には、これらを断面円形状の状態で保持する第１保持筒および第２保持筒が装着されており、これら第１，第２保持筒に対してアダプター本体の両端部が螺合等の手段により着脱可能に連結されている。光源からの照明光は、第１光ファイバー束の出射端面から出射し、上記レンズ系を通って内視鏡側の第２光ファイバー束の入射端面へと伝送される。このアダプターでは、照明光の伝送を効率良く行うために、第１，第２光ファイバーの断面積に応じてレンズ系を交換したり移動させている。
【０００４】
後者公報のアダプターは、断面円形のテーパ状をなすライトガイド部材（テーパファイバ束やテーパロッド等からなる）を備えている。このライトガイド部材の基端面は、光源側の第１光ファイバー束の出射端面と同一径をなし、この出射端面に接している。ライトガイド部材の先端面は、内視鏡側の第２光ファイバー束の入射端面の径と同一径をなし、この入射端面に接している。なお、上記ライトガイド部材は、テーパをなす筒形状のアダプター本体に保持されているが、このアダプター本体と、第１光ファイバー束の出射側端部，第２光ファイバー束の入射側端部との連結状態について、この公報は詳しく開示していない。
【０００５】
【発明が解決しようとする課題】
ところで、光源から第１光ファイバー束の入射端面に入射する照明光は、第１光ファイバー束の軸に対する入射角度が小さいほど光量が多く、この角度が大きいほど光量が少なくなるのが一般的である。光ファイバー束の特性に起因して、このような照明光の光量分布（配光特性）は、第１光ファイバー束の出射側にも同様に現れる。仮に、第１光ファイバー束と第２光ファイバー束とが同一径をなし、第１光ファイバー束の出射端面と第２光ファイバー束の入射端面とが直接接している場合には、第２光ファイバー束の出射端面から内視鏡の照明窓を介して出射された照明光も同様の光量分布をなす（図３の曲線Ａ参照）。このような光量分布の場合、観察対象には、照明光の照射範囲の中心に近い部位で明る過ぎ、中心から遠い部位（周辺部位）で暗過ぎてしまう。そのため、光量分布を均等化ないしは緩和することが求められている。
【０００６】
上記公報のアダプターを用いた場合、光量分布が変化するが、これを必ずしも好ましいものに変更することができなかった。
すなわち、前者公報のアダプターでは、第１光ファイバー束の出射端面の径と第２光ファイバー束の入射端面の径に対応して、結合レンズ系を交換また移動することにより、照明光を少ないロスで伝送しているが、その結果が、必ずしも光量分布の改善に結びつかない。
後者公報のアダプタでは、テーパをなすライトガイド部材を用いているので、光量分布の改善が期待される。しかし、このライトガイド部材の両端面は、第１光ファイバー束の出射端面と第２光ファイバー束の入射端面に接しており、これら光ファイバー束の径に依存してライトガイド部材のテーパが決定されるため、第２テーパファイバー束の入射端面の径が第１テーパファイバ束の出射端面の径より十分に小さい場合にのみ、光量分布の改善が図られるが、この条件を満たさなければ光量分布を改善することができない。
【０００７】
【課題を解決するための手段】
請求項１の発明は、光源に接続されるべきライトガイドコードを通るとともに出射側端部が第１保持筒により断面円形の状態で保持された第１光ファイバー束と、内視鏡を通るとともに入射側端部が第２保持筒により断面円形の状態で保持された第２光ファイバー束とを、接続するアダプターにおいて、上記第１保持筒および第２保持筒に対して両端部が連結され、少なくとも一方に対して着脱可能な筒形状のアダプター本体と、このアダプター本体内に設けられ、上記第１，第２光ファイバー束の端部間に配置されるとともにこれら端部と同軸をなすライトガイド部材とを有し、上記ライトガイド部材は、その断面が円形をなすとともに基端から先端に向かって径が小さくなるようなテーパ形状をなし、その基端面が第１光ファイバー束の出射端面と同径をなして実質的に接しており、その先端面が第２光ファイバー束の入射端面より小径をなしてこの入射端面から離れていることを特徴とする。
【０００８】
請求項２の発明は、請求項１に記載の内視鏡装置における照明光伝送系アダプターにおいて、上記アダプター本体は、上記第１保持筒に連結され上記ライトガイド部材を収容支持してなる支持筒と、上記第２保持筒と上記支持筒のうちの一方に対して回転可能かつ軸方向移動不能に連結され他方に対して螺合により連結される調節筒とを有し、この調節筒の回動に伴い上記ライトガイド部材の先端面と上記第２光ファイバー束の入射端面との間の距離が調節されることを特徴とする。
請求項３の発明は、請求項２に記載の内視鏡装置における照明光伝送系アダプターにおいて、上記アダプター本体は、さらに取付筒を有し、この取付筒が上記第２保持筒に着脱可能に連結され、この取付筒に対して上記調節筒が回動可能かつ軸方向移動不能に連結されることにより、調節筒と第２保持筒の連結が得られ、他方、上記支持筒は第１保持筒に対して着脱可能に連結されていることを特徴とする。
請求項４の発明は、請求項２または３に記載の内視鏡装置における照明光伝送系アダプターにおいて、上記支持筒の外周には雄ねじ部が形成され、上記調節筒の内周にはこの雄ねじ部に螺合する雌ねじ部が形成されており、これら支持筒の外周と調節筒の内周の一方には、ねじ部から軸方向に離れてゴム製リングが装着されており、他方にはこのゴム製リングが弾性変形状態で当接する環状の当接面が形成されていることを特徴とする。
【０００９】
請求項５の発明は、請求項１に記載の内視鏡装置における照明光伝送系アダプターにおいて、上記アダプター本体の両端部が、上記第１，第２の保持筒に着脱可能に連結されることを特徴とする。
請求項６の発明は、請求項１に記載の内視鏡装置における照明光伝送系アダプターにおいて、上記アダプター本体が、上記第１保持筒に連結され上記ライトガイド部材を収容支持してなる支持筒と、第２保持筒に着脱可能に連結された取付筒とを有し、上記支持筒と取付筒とが螺合により着脱可能に連結されていることを特徴とする。
【００１０】
【発明の実施の形態】
以下、本発明の第１実施形態を、図１，図２に基づいて説明する。まず、内視鏡装置の概略構成を主に図２を参照しながら説明する。この内視鏡装置は、光源装置１０と、ライトガイドコード２０と、硬性内視鏡３０とを備えている。
光源装置１０内は、ハウジング１１内に、光源１２とこの光源１２からの光を収束させる凹面鏡１３（収束手段）とを収容することにより、構成されている。
【００１１】
ライトガイドコード２０は、フレキシブルなチューブ２１と、このチューブ２１の基端に取り付けられたスリーブ形状の光学コネクタ２２と、チューブ２１の先端に取り付けられた保持筒２３（第１保持筒）と、チューブ２１内に収容された第１光ファイバー束２５（図１参照）とを備えている。第１光ファイバー束２５の基端部（入射端部）と先端部（出射端部）は、それぞれ光コネクタ２２，保持筒２３に断面円形をなして挿入保持されている。第１光ファイバー束２５の基端面（入射端面）は、光学コネクタ２２の基端と一致しており、この光学コネクタ２２をハウジング１１に挿入した状態で、凹面鏡１３からの収束した照明光を受けるようになっている。図１に示すように、第１光ファイバー束２５の先端面２５ｘ（出射端面）は、保持筒２３の先端と一致している。保持筒２３は、先端部の外径が小さくなっており、その外周面に雄ねじ部２３ａが形成されている。
【００１２】
上記内視鏡３０は、本体３１と、この本体３１から先方に延びる細長い硬性の挿入部３２と、本体３１の後端に設けられた接眼部３３とを備えている。挿入部３２の先端部には、その軸芯に対して斜めをなす面が形成されており、この面には、観察窓と照明窓（いずれも図示しない）が形成されている。挿入部３２の先端部には観察窓に対峙する対物光学系が内蔵されており、この対物光学系は、像伝送光学系を介して上記接眼部３３に光学的に接続されている。また、照明窓には、第２光ファイバー束３５の先端面（出射端面）が対峙している。この第２光ファイバー束３５は、挿入部３２，本体３１を通り、その基端部（入射端部）が本体３１から外部に導出されている。上記本体３１には、上記挿入部３２と直交して、保持筒３４が取り付けられている。図１に示すように、第２光ファイバー束３５の入射端部は、断面円形をなした状態でこの保持筒３４内に挿入保持されている。第２光ファイバー束３５の基端面３５ｘ（入射端面）は、保持筒３４の外端と一致している。
【００１３】
内視鏡装置は、さらに、上記ライトガイドコード２０の第１光ファイバー束２５の出射端部と内視鏡３０の第２光ファイバー束３５の入射端部とを光学的に接続するためのアダプター５０を備えている。
このアダプター５０は、筒形状のアダプター本体５１と、このアダプター本体５１内に設けられたライトガイド部材５５（図１参照）とを備えている。アダプター本体５１は３つの筒、すなわち、上記ライトガイドコード２０の保持筒２３に着脱可能に連結された支持筒５２と、内視鏡３０の保持筒３４に着脱可能に連結された取付筒５３と、これら支持筒５２と取付筒５３とを連結する調節筒５４とで構成されている。
【００１４】
次に、アダプター５０の構成を図１を参照しながら詳細に説明する。
上記支持筒５２は、基端部、中間部，先端部の順に外径が小さくなっている。支持筒５２と調節筒５４とは、支持筒５２の先端部外周に形成された雄ねじ部５２ａと調節筒５４の中間部内周に形成された雌ねじ部５４ａとの螺合により、連結されている。支持筒５２の中間部外周には環状溝５２ｂが形成されており、この溝５２ｂには、ゴム製リング５６が装着されている。上記調節筒５４の後端部の内周面は、上記支持筒５２との螺合状態においてゴム製リング５６が弾性変形した状態で接する環状の当接面５４ｂとなっている。
【００１５】
上記調節筒５４の先端部と取付筒５３の後端部とは、Ｃ字形状のスナップリング５７により連結されている。このスナップリング５７は、上記調節筒５４の先端部内周と取付筒５３の後端部外周にそれぞれ形成された環状溝にはめ込まれており、これにより、調節筒５４は、取付筒５３に対して回動可能かつ軸方向移動不能に連結されている。
【００１６】
上記支持筒５１の先端部内周には、補助筒５８が挿入固定されている。この補助筒５８の内周面はテーパをなし、これにより、内部空間の断面は円形を維持したまま先端に向かうにしたがって小径をなしている。この補助筒５８に、上記ライトガイド部材５５が収容固定されている。このライトガイド部材５５は、テーパファイバー束、すなわち多数のテーパファイバー５５ａからなり、その外周面は、上記補助筒５８の内周面と一致するテーパをなしている。すなわち、ライトガイド部材５５は、断面円形を維持したまま基端から先端に向かって漸次小径になっている。ライトガイド部材５５の先端面５５ｙは、補助筒５８，支持筒５１の先端と一致している。
【００１７】
上記ライトガイド部材５５の基端面５５ｘと第１光ファイバ束２５の出射端面２５ｘの径は等しい。また、ライトガイド部材５５の先端面５５ｘの径は、第２光ファイバ束３５の入射端面５５ｘの径より小さい。
【００１８】
上述したように、アダプター５０は、支持筒５２，取付筒５３，調節筒５４とライトガイド部材５５とを含むアッセンブリとして構成されている。このアダプター５０は、ライトガイドコード２０の保持筒２３に着脱可能に連結されている。詳述すると、上記アダプター５０の支持筒５２の基端部内周には、上記保持筒２３の雄ねじ部２３ａに螺合する雌ねじ部５２ｃが形成されている。これらねじ部５２ｃ，２３ａ同士の螺合を進めて、支持筒５２の基端面を保持筒２３の中間部に形成された環状の段２３ｂに当たるまで締めることにより、支持部材５２は保持筒２３に対して正確に位置決めされた状態で着脱可能に連結される。この連結状態で、上記ライトガイド部材５５の基端面５５ｘは、第１光ファイバ束２５の出射端面２５ｘに実質的に面接触している。すなわち、実際に接しているか、非常に僅かな隙間を介して対峙している。
【００１９】
上述のようにライトガイドコード２０の保持筒２３に取り付けられた状態のアダプター５０は、係止機構６０により、内視鏡３０の保持筒３４にワンタッチ式に着脱可能に連結される。以下、係止機構６０の構成について詳述する。アダプター５０の取付筒５３の先端部は、外径を大きくすることにより肉厚になっており、ここに径方向に貫通するスリット６１が形成されている。このスリット６１には、取付筒５３の軸と直交する係止板６２がスライド可能に挿入されている。係止板６２には、挿入孔６２ａが形成されている。図１において、この挿入孔６２ａの上縁と下縁は、保持筒３４の外径より若干大きい径の半円をなし、両側縁は短い直線をなしている。この両側縁の距離すなわち挿入孔６２ａの幅は、保持筒３４の外径より若干大きい。係止板６２の下縁は、挿入孔６２ａの下縁と同心の円弧をなしている。係止板６２の両側縁は挿入孔６２ａの両側縁と平行な直線をなしている。係止板６２の外端（図１における上端）には、直角に折れ曲げられた押圧部６２ｂが形成されている。
【００２０】
上記取付筒５３の先端部には、上記スリット６１に連なり上記押圧部６２ｂの反対側に位置する収容空間６３が形成されている。この収容空間６３には、上記係止板６２を取付筒５３から突出させる方向に付勢するバネ６４が収容されている。この収容空間６３は、円弧形状のカバー６５によりふさがれている。このカバー６５は、止めネジ６６により取付筒５３に固定されている。
【００２１】
上記構成の係止機構６０を用いて、アダプター５０を内視鏡３０の保持筒３４に取り付ける場合、アダプター５０を保持筒３４に向かって押し、取付筒５３の保持筒３４を挿入させる。保持筒３４の先端のテーパ面３４ａが、係止板６２の挿入孔６２ａの下縁に当たると、係止板６２がバネ６４に抗して非ロック位置まで移動される。この状態でさらに保持筒３４が進むと、保持筒３４の外周に先端から所定距離離れて形成された環状の係止溝６７に、バネ６４で押された係止板６２の下縁部がはまり込み、係止板６２がロック位置に戻る。このようにしてアダプター５０はワンタッチで保持筒３４に連結される。なお、アダプター５０を保持筒３４から外す時には、係止板６２の押圧部６２ａを押して係止板６２を非ロック位置にしてから、アダプター５０を保持筒３４から後退させる。これにより、保持筒３４が取付筒５３から抜き取られ、連結状態が解除される。
このようにアダプター５０は、内視鏡３０に対して簡単に着脱でき、内視鏡３０の交換が容易である。
【００２２】
上述のように、アダプター５０を介してライトガイドコード２０と内視鏡３０が接続された状態では、ライトガイド部材５５は、第１光ファイバー束２５の出射側端部と第２光ファイバー束３５の入射側端部との間に介在され、これら端部とライトガイド部材５５は同軸をなしている。通常、ライトガイド部材５５の先端面５５ｙは、第２光ファイバー束３５の入射端面３５ｘに対して離れている。
【００２３】
光源１２からの照明光は、凹面鏡１３によって反射されて第１光ファイバー束２５の入射端面に入射し、第１光ファイバー束２５を通り、その出射端面２５ｘからライトガイド部材５５の基端面５５ｘに入射する。前述したように、第１光ファイバー束２５の出射端面２５ｘから出射される照明光の光量分布は、中心軸近傍部で多く、中心軸から離れると少なくなり、ライトガイド部材５５を経ずに第２光ファイバー３５を通って、照明窓から照射された場合、図３の曲線Ａで示すようになる。しかし、本実施例では、ライトガイド部材５５を通るため、照明窓から照射される照明光の光量分布が、図３の曲線Ｂで示すように改善され、均等化ないしは緩和される。
【００２４】
上記光量分布改善の理由を説明する。ライトガイド部材５５を構成する多数のテーパファイバー５５ａの各々は、そのテーパ面で照明光を反射する。中心軸に対して小さな角度で入射した照明光は、このテーパ面での反射により中心軸に対する角度が増大する。その結果、中心軸近傍の照明光が周辺部に分散されて、光量分布が改善されるのである。
【００２５】
上記アダプター５０では、調節筒５４を回すことにより、ねじ部５２ａ，５４ａの螺合作用により、保持筒３４に対する支持筒５２の位置、換言すれば、ライトガイド部材５５の先端面５５ｙと第２光ファイバー束３５の入射端面３５ｘとの間の距離Ｈを調節し、これにより、ライトガイド部材５５の先端面５５ｙから出射した照明光の光束の広がり面積を第２光ファイバー束３５の入射端面３５ｘの面積と等しくすることができる。すなわち、ライトガイド部材５５の先端面５５ｙから広がって出射した照明光の殆どすべてを第２光ファイバー束３５の入射端面３５ｘに入射させることができ、伝送損失を最小限にして、第１光ファイバー束２５から第２光ファイバー束３５への照明光の伝送を行うことができる。
内視鏡３０を交換するたびに、第２光ファイバー束３５の径に対応して上記距離Ｈの調節がなされる。
なお、支持筒５２に装着されたゴム製リング５６が調節筒５４の当接面５４ｂに弾性変形した状態で接しており、両者の摩擦により、調節筒５４の無用な回動を防止することができる。
【００２６】
上記説明から明らかなように、本実施形態のアダプター５０では、ライトガイド部材５５の先端面５５ｙを第２光ファイバー束３５の入射端面３５ｘから離し、この先端面５５ｙからの照明光の広がりを利用することにより、ライトガイド部材５５のテーパ角度を、十分大きくすることができる。なぜなら、第２光ファイバー束３５の入射側端部の径が比較的大きくても、ライトガイド部材５５の先端面５５ｙの径をこの入射端部の径に依存させずに小さくすることができるからである。
上記のようにライトガイド部材５５のテーパ角度を、第２光ファイバー束３５の入射側端部の径とは無関係に十分大きくすることができるので、種々の内視鏡に対して、常に光量分布の改善を図ることができるのである。
【００２７】
なお、本実施例は、ライトガイド部材５５の先端面５５ｙの径と第１光ファイバー束３５の入射端面３５ｘの径が等しい場合にも用いることができる。この場合には、上記調節筒５４の回動操作により、先端面５５ｙと入射端面３５ｘは面接触させられる。
【００２８】
本実施形態のアダプター５０は、係止機構６０により内視鏡側の保持筒３４に対して着脱可能であるばかりか、ねじ部２３ａ，５２ｃの螺合により、保持筒２３に対しても着脱可能である。それ故、異なるテーパ角度のライトガイド部材５５を有するアダプター５０に交換して、光量分布の特性を変えることも可能である。
【００２９】
なお、上記実施形態において、調節筒を直接保持筒に着脱可能に連結するとともに、この保持筒に対して回動可能，軸方向移動不能にしてもよい。
第１保持筒とアダプターの支持筒は一体をなしていてもよい。
【００３０】
図４は、第２の実施形態を示す。この実施形態において、第１実施形態に対応する構成部には同番号を付してその詳細な説明を省略する。本実施形態のアダプター５０Ａのアダプター本体５１Ａは、支持筒５２と取付筒５３Ａにより構成されており、第１実施形態の調節筒を備えていない。取付筒５３Ａは第１実施形態の場合より長く形成されており、中間部の内周に形成された雌ねじ部５９を支持筒５２の先端部外周に形成された雄ねじ部５２ａに螺合させることにより、両者は着脱可能に連結されている。なお、取付筒５３Ａの基端面が支持筒５２の中間部外周に形成された環状の段５２ｄに当たることにより、一方が他方に対して位置決めされている。
【００３１】
異なる内視鏡を接続するに当たり、前に使用した内視鏡の第２光ファイバー束３５と径が異なる場合には、ライトガイド部材５５の先端面５５ｙと第２光ファイバー束３５の入射端面３５ｘとの間の距離Ｈがこの第２光ファイバー束３５の径に対応しているアダプター５０Ａに取り換える。これにより先端面５５ｙからの照明光の広がり範囲を入射端面３５ｘと一致させる。なお、この場合、異なる長さの取付筒５３Ａまたは異なる長さの支持筒５２に換えることにより、上記距離Ｈを変えてもよい。
【００３２】
上記第１，第２実施形態において、テーパファイバ５５ａの束からなるライトガイド部材５５に代えて、図５に示すように、ガラス等の透明材料からなる１本のテーパロッドにより構成されたライトガイド部材５５Ａを用いてよい。
第１光ファイバ束に入射する照明光の光量分布は、中央部分が多く周辺部分が少ない場合に限らず、中央部分が少なく中間部分が多く周辺部分が少ないような場合でも、本発明により改善することができる。
内視鏡としては、硬性内視鏡のみならず、フレキシブル内視鏡等も用いることができる。
【００３３】
【発明の効果】
請求項１の発明のアダプターによれば、第１光ファイバー束の出射端部の径と比較して、第２光ファイバー束の入射側端部の径が十分に小さくなくても、ライトガイド部材の先端面を第２光ファイバー束の入射端面から離し、この先端面からの照明光の広がりを利用することにより、ライトガイド部材のテーパ角度を、十分大きくすることができ、これにより照明光の光量分布の改善を図ることができる。
請求項２の発明によれば、調節筒の回動操作により、ライトガイド部材の先端面と第２光ファイバー束の入射端面との距離を調節でき、この先端面からの照明光の広がり範囲を第２光ファイバー束の入射端面と一致させることができ、容易に照明光の伝送損失を最小限にすることができる。
請求項３の発明によれば、アダプター本体が、内視鏡側の第２保持筒に着脱可能に連結される取付筒と、ライトガイドコード側の第１保持筒に着脱可能に連結される支持筒と、上記距離調節を行う調節筒とを備えており、各筒にそれぞれの機能を持たせたので、各筒の構成を簡略化することができる。また、ライトガイド部材を支持する支持筒を交換可能としたので、光量分布を変更することもできる。
請求項４の発明によれば、ゴム製リングで調節筒の無用の回動を防止でき、調節された上記ライトガイド部材の先端面と第２光ファイバー束の入射端面との距離を、確実に維持することができる。
請求項５の発明によれば、ライトガイド部材の先端面と第２光ファイバー束の入射端面との距離が第２光ファイバー束の入射端面の径に対応するようにアダプターを交換することにより、この先端面からの照明光の広がり範囲を第２光ファイバー束の入射端面と一致させることができ、容易に照明光の伝送損失を最小限にすることができる。
請求項６の発明によれば、ライトガイド部材の先端面と第２光ファイバー束の入射端面との距離が第２光ファイバー束の入射端面の径に対応するように取付筒を交換することにより、この先端面からの照明光の広がり範囲を第２光ファイバー束の入射端面と一致させることができ、容易に照明光の伝送損失を最小限にすることができる。
【図面の簡単な説明】
【図１】本発明の第１実施形態のアダプターの要部断面図である。
【図２】本発明の第１実施形態のアダプターを含む内視鏡装置の全体構成図である。
【図３】本発明のアダプターを用いた場合の光量分布を用いない場合と比較して示す図である。
【図４】本発明の第２実施形態のアダプターの要部断面図である。
【図５】第１，第２実施形態に用いることができる他のライトガイド部材を示す断面図である。
【符号の説明】
１０  光源
２０  ライトガイドコード
２３  第１保持筒
２５  第１光ファイバー束
２５ｘ  出射端面
３０  内視鏡
３４  第２保持筒
３５  第２光ファイバー束
３５ｘ  入射端面
５０  アダプター
５１  アダプター本体
５２  支持筒
５２ａ  雄ねじ部
５３，５３Ａ  取付筒
５４  調節筒
５４ａ  雌ねじ部
５４ｂ  当接面
５５，５５Ａ  ライトガイド部材
５５ｘ  基端面
５５ｙ  先端面
５６  ゴム製リング
【図１】
0003585653.tif 000002
【図２】
0003585653.tif 000003
【図３】
0003585653.tif 000004
【図４】
0003585653.tif 000005
【図５】
0003585653.tif 000006